(57)【要約】【課題】  所定の仕様に準拠していない電池がフラッシュ装置に接続された場合に、フラッシュ装置の発光による電池へのダメージを軽減すること。【解決手段】  撮像素子と、撮像素子から出力された電気信号を設定されたゲインにより増幅する増幅手段とを有すると共に、接続された電池から電力の供給を受けて発光を行うフラッシュ装置を着脱可能な撮像装置であって、前記フラッシュ装置に前記電池の情報を問い合わせ、得られた情報に基づいて、前記電池が所定の仕様に準拠した電池であるかどうかを判定し（Ｓ２）、フラッシュ撮影を行うときに、前記電池が前記所定の仕様に準拠した電池ではないと判定されると、前記電池が前記所定の仕様に準拠した電池である場合よりも、前記フラッシュ装置の発光量を少なくすると共に、より高いゲインを前記増幅手段に設定する（Ｓ１０、Ｓ１１）。【選択図】  図２
2013015777.tif 000002
【特許請求の範囲】
【請求項１】
電池から電力の供給を受けて発光を行うフラッシュ装置を着脱可能な撮像装置であって、
入射した光を光電変換して得た電気信号を出力する撮像素子と、
前記電気信号を設定されたゲインにより増幅する増幅手段と、
前記フラッシュ装置に前記電池の情報を問い合わせ、得られた情報に基づいて、前記電池が所定の仕様に準拠した電池であるかどうかを判定する判定手段と、
フラッシュ撮影を行うときに、前記判定手段が前記電池が前記所定の仕様に準拠した電池ではないと判定すると、前記電池が前記所定の仕様に準拠した電池である場合よりも、前記フラッシュ装置の発光量を少なくすると共に、より高いゲインを前記増幅手段に設定する制御手段と
を有する撮像装置。
【請求項２】
前記制御手段は、前記判定手段が前記電池が前記所定の仕様に準拠した電池ではないと判定した場合に、前記ゲインを最大値に設定し、前記最大値のゲインに応じて前記フラッシュ装置の発光量を決定する請求項１に記載の撮像装置。
【請求項３】
前記制御手段は、前記判定手段が前記電池が前記所定の仕様に準拠した電池ではないと判定した場合に、前記フラッシュ装置の発光量が予め設定された発光量よりも小さくなるか、または前記ゲインが最大値になるまで、前記ゲインを高くする請求項１に記載の撮像装置。
【発明の詳細な説明】
【技術分野】
【０００１】
本発明は、フラッシュ撮影を行うことのできる撮像装置（デジタルカメラ等）に関する。
【背景技術】
【０００２】
フラッシュ撮影可能なカメラにおいて、ＩＳＯ感度（ゲイン）を上げてフラッシュ装置の発光量を抑えることにより、電池の消耗を抑える方法が知られている（特許文献１参照）。
【先行技術文献】
【特許文献】
【０００３】
【特許文献１】特開２００４−１３４８５０号公報
【発明の概要】
【発明が解決しようとする課題】
【０００４】
フラッシュ装置に接続された電池が正規品である場合に行われるフラッシュ装置の制御と、フラッシュ装置に接続された電池が非正規品である場合に行われるフラッシュ装置の制御とが同じである場合、非正規電池にダメージを与える可能性がある。そのため、フラッシュ装置に接続された電池が非正規電池であるか否かを判定し、その判定の結果に応じてフラッシュ装置を制御できるようにすることが望まれている。この問題は、フラッシュ装置に接続された電池が所定の仕様に準拠していない電池である場合にも生ずる問題である。
【０００５】
しかしながら、特許文献１に記載されたカメラは、フラッシュ装置に接続された電池が非正規品であるか否かを判定していないし、フラッシュ装置に接続された電池が所定の仕様に準拠していない電池であるか否かを判定してもいない。そのため、特許文献１に記載されたカメラでは、上述した問題を解決することはできない。
【０００６】
本発明は上記問題点を鑑みてなされたものであり、フラッシュ装置に所定の仕様に準拠していない電池が接続された場合に、フラッシュ装置の発光による電池へのダメージを軽減できるようにすることを目的とする。
【課題を解決するための手段】
【０００７】
上記目的を達成するために、本発明に係る撮像装置は、電池から電力の供給を受けて発光を行うフラッシュ装置を着脱可能な撮像装置であって、入射した光を光電変換して得た電気信号を出力する撮像素子と、前記電気信号を設定されたゲインにより増幅する増幅手段と、前記フラッシュ装置に前記電池の情報を問い合わせ、得られた情報に基づいて、前記電池が所定の仕様に準拠した電池であるかどうかを判定する判定手段と、フラッシュ撮影を行うときに、前記判定手段が前記電池が前記所定の仕様に準拠した電池ではないと判定すると、前記電池が前記所定の仕様に準拠した電池である場合よりも、前記フラッシュ装置の発光量を少なくすると共に、より高いゲインを前記増幅手段に設定する制御手段とを有する。
【発明の効果】
【０００８】
本発明によれば、所定の仕様に準拠していない電池がフラッシュ装置に接続された場合に、フラッシュ装置の発光による電池へのダメージを軽減することができる。
【図面の簡単な説明】
【０００９】
【図１】本発明の実施形態１及び２における撮像システムの構成要素の一部を示すブロック図である。
【図２】実施形態１におけるカメラで行われる撮影動作を説明するためのフローチャートである。
【図３】実施形態１におけるフラッシュ装置で行われる電池判定処理を説明するためのフローチャートである。
【図４】実施形態１におけるゲイン設定処理を説明するためのフローチャートである。
【図５】実施形態２におけるカメラで行われる撮影動作を説明するためのフローチャートである。
【図６】実施形態２におけるカメラで行われる撮影処理を説明するためのフローチャートである。
【図７】実施形態２における発光量演算処理を説明するためのフローチャートである。
【発明を実施するための形態】
【００１０】
以下、図面を参照して本発明の実施形態を説明する。
【００１１】
＜実施形態１＞
図１は、本発明の実施形態１及び２における撮像システム（カメラシステム）の構成要素の一部を示すブロック図である。
【００１２】
図１に示すように、実施形態１及び２における撮像システムは、撮像装置の一例であるカメラ１００と、カメラ１００から取り外し可能なレンズユニット２２０と、カメラ１００から取り外し可能なフラッシュ装置２３０とを有する。カメラ１００は、例えば、レンズユニットが交換可能なタイプのカメラである。ただし、実施形態１及び２における撮像装置は、カメラ１００に限るものではない。レンズユニットが交換できないタイプのカメラを実施形態１及び２における撮像装置としてもよい。
【００１３】
まず、レンズユニット２２０について説明する。撮像レンズ部１は、複数のレンズにより構成される。撮像レンズ部１は、光軸方向に移動してフォーカス調整を行うフォーカスレンズと、光軸方向に移動して変倍を行うズームレンズとを含む。絞り２２４は、撮像素子５に到達する光量を調節する。撮像レンズ部１及び絞り２２４により、撮像光学系が構成される。
【００１４】
レンズ制御部２２６は、システム制御部５０からの制御信号に応じて、撮像レンズ部１及び絞り２２４を駆動するためのアクチュエータを制御する。また、レンズ制御部２２６は、レンズユニット２２０の動作用の定数、変数、プログラム等を記憶するメモリの機能を備えている。その他、レンズユニット２２０に固有の番号等の識別情報、管理情報、開放絞り値や最小絞り値、焦点距離等の機能情報、現在や過去の各設定値などを記憶する不揮発メモリの機能も備えている。
【００１５】
コネクタ２２８は、カメラ１００のコネクタ４１と接続されてレンズ制御部２２６とシステム制御部５０との間での通信を可能とする。また、コネクタ２２８は、電池８６からの電源電圧をレンズユニット２２０内に供給する。
【００１６】
次に、カメラ１００の構成について説明する。ミラー２は、レンズユニット２２０に入射した光を撮像素子５と焦点検出部６とに導くとともに、光学ファインダー１０４に導く。なお、ミラー２は、クイックリターンミラーの構成としても、ハーフミラーの構成としても、どちらでも構わない。シャッター４は、絞り機能を有し、撮像素子５の露出量を制御することができる。撮像素子５は、ＣＣＤセンサ、ＣＭＯＳセンサ等の何れかにより構成され、レンズユニット２２０により形成された被写体像を光電変換し、アナログ画像信号を出力する。
【００１７】
Ａ／Ｄ変換器１６は、撮像素子５から出力されるアナログ画像信号をデジタル画像信号に変換する。タイミング発生回路１８は、撮像素子５、Ａ／Ｄ変換器１６及びＤ／Ａ変換器２６にクロック信号と制御信号とを供給する。タイミング発生回路１８は、メモリ制御回路２２及びシステム制御部５０により制御される。
【００１８】
画像処理回路２０は、Ａ／Ｄ変換器１６またはメモリ制御回路２２からのデジタル画像信号に対して、所定の画像処理を行い、静止画像または動画像を含む画像データを生成する。所定の画像処理は、画素補間処理、色変換処理、ＡＷＢ（オートホワイトバランス）処理の少なくとも一つを含む。
【００１９】
焦点検出部６は、複数の測距エリアを有する位相差検出用のセンサが含まれている。システム制御部５０は、焦点検出部６の蓄積制御や読み出し制御を行い、周知である位相差検出方法によりデフォーカス量を算出する。
【００２０】
システム制御部５０は、ＣＰＵ（Ｃｅｎｔｒａｌ  Ｐｒｏｃｅｓｓｉｎｇ  Ｕｎｉｔ）などを有し、カメラ１００の動作を制御する。システム制御部５０は、デフォーカス量などからレンズユニット２２０のフォーカス駆動と、絞り駆動とを制御することもできる。また、システム制御部５０は、フラッシュ装置２３０と通信を行い、フラッシュ装置２３０を制御することもできる。更に、システム制御部５０は、不図示の記憶制御手段及び表示制御手段としての機能を有する。
【００２１】
メモリ制御回路２２は、Ａ／Ｄ変換器１６、タイミング発生回路１８、画像処理回路２０、画像表示メモリ２４、Ｄ／Ａ変換器２６、メモリ３０及び圧縮・伸長回路３２を制御することができる。画像処理回路２０からの画像信号またはＡ／Ｄ変換器１６からのデジタル撮像信号は、メモリ制御回路２２を介して画像表示メモリ２４、メモリ３０及びシステム制御部５０に送られる。
【００２２】
画像表示部２８は、液晶表示器等を有する。画像表示メモリ２４に書き込まれた表示用画像データは、Ｄ／Ａ変換器２６を介して画像表示部２８に送られ、画像表示部２８にて表示される。
【００２３】
メモリ３０は、生成された静止画像や動画像の画像データを格納する。また、メモリ３０は、システム制御部５０の作業領域としても使用される。
【００２４】
顔検出部３１は、画像処理回路２０からの画像データあるいはメモリ制御回路２２からの画像データに対して所定の顔検出処理を行う。
【００２５】
圧縮・伸長回路３２は、所定の画像圧縮方法を用いて画像データを圧縮することができる。圧縮・伸長回路３２は、圧縮画像データを伸長することもできる。圧縮・伸長回路３２は、メモリ３０に格納された画像データを読み込んで圧縮処理した場合は、圧縮された画像データをメモリ３０に書き込む。圧縮・伸長回路３２は、メモリ３０に格納された圧縮画像データを読み込んで伸長処理をした場合は、伸長した画像データをメモリ３０に書き込む。
【００２６】
露光制御回路４０は、シャッター４を制御することができる。露光制御回路４０は、システム制御部５０を介してレンズユニット２２０の絞り２２４も制御することができる。
【００２７】
メモリ５２は、システム制御部５０で実行される制御プログラムを記憶するメモリである。
【００２８】
情報出力部５６は、文字、画像、音声等を用いてカメラ１００の動作状態やメッセージ等を示す情報を出力する。情報出力部５６は、液晶表示素子、スピーカの少なくとも一つを有する。
【００２９】
モードダイヤルスイッチ６０は、カメラ１００の電源をＯＮ及びＯＦＦのいずれかに切り替えるためのスイッチである。モードダイヤルスイッチ６０は、複数の動作モードの一つを選択するためのスイッチでもある。複数の動作モードは、静止画撮像モード、動画撮像モード、再生モードを含む。
【００３０】
シャッタースイッチ６２は、撮像準備（ＳＷ１）と撮影開始（ＳＷ２）とを指示するためのスイッチである。不図示のシャッターボタンの操作途中（例えば半押し）でＳＷ１がＯＮとなり、ＡＦ処理、ＡＥ処理、ＡＷＢ処理、ＥＦ処理等の動作開始を指示する。更に、シャッターボタンの操作完了（例えば全押し）でＳＷ２がＯＮとなり、撮像動作が開始される。ここでいう撮像動作は、シャッター４の開閉動作、撮像素子５からの撮像信号に基づいて画像処理回路２０にて画像信号を生成する動作、画像信号をメモリ制御回路２２を介してメモリ３０に書き込む動作を含む。また、メモリ３０から画像データを読み出して、圧縮・伸長回路３２で圧縮し、記録媒体２００及び２１０の少なくとも一つに記録する動作も含む。これら一連の撮像動作は、記録用画像の取得動作ということもできる。
【００３１】
ＩＳＯ感度設定スイッチ６９は、撮像素子５から出力される電気信号にかけるゲインの設定を変更するためのスイッチであり、ＩＳＯ感度（撮影感度）の設定を変更するためのスイッチである。
【００３２】
操作部７０は、複数のボタン、タッチパネル等を含む。ユーザは、操作部７０を操作することにより、メニュー画面を画像表示部２８に表示させたり、複数のメニュー項目の一つを決定したりすることができる。
【００３３】
電池装置８０は、カメラ１００に接続される電池装置である。電池装置８０は、電池８６とコネクタ８２とを有する。電池８６は、充電可能な電池であり、少なくとも一つの二次電池を含む。ＮｉＭＨ電池、Ｌｉ電池等は、電池８６に含まれる二次電池の一例である。コネクタ８２は、カメラ１００のコネクタ８４と電気的接続される。
【００３４】
電源制御回路７８は、電池装置８０の残量の検出を行う電池検出回路と、電池装置８０からの電源電圧を所定の動作電圧に変換するＤＣ−ＤＣコンバータとを含む。
【００３５】
通信部１１０は、カメラ１００と他の機器との間で所定の有線通信を行うための有線通信回路と、カメラ１００と他の機器との間で所定の無線通信を行うための無線通信回路とを有する。コネクタ・アンテナ部１１２は、カメラ１００と他の機器との間で所定の有線通信を行うためのコネクタと、カメラ１００と他の機器との間で所定の無線通信を行うためのアンテナとを有する。
【００３６】
記録媒体２００は、メモリカード、ハードディスク等の記録媒体である。記録媒体２００は、記録部２０２と、インタフェース部２０４と、コネクタ２０６とを有する。記録部２０２は、半導体メモリ、磁気ディスク等を有する。インタフェース部２０４は、カメラ１００のインタフェース部９０と通信することができる。コネクタ２０６は、カメラ１００のコネクタ９２に接続される。記録媒体２００がカメラ１００に接続されているか否かは、検知器９８によって検出され、システム制御部５０に通知される。
【００３７】
記録媒体２１０は、メモリカード、ハードディスク等の記録媒体である。記録媒体２１０は、記録部２１２と、インタフェース部２１４と、コネクタ２１６とを有する。記録部２１２は、半導体メモリ、磁気ディスク等を有する。インタフェース部２１４は、カメラ１００のインタフェース部９４と通信することができる。コネクタ２１６は、カメラ１００のコネクタ９６に接続される。記録媒体２１０がカメラ１００に接続されているか否かは、検知器９８によって検出され、システム制御部５０に通知される。
【００３８】
次に、フラッシュ装置２３０の構成について説明する。フラッシュ制御部２３２は、フラッシュ装置２３０に関する情報（電池情報、ガイドナンバー情報等）をカメラ１００に送信する。フラッシュ制御部２３２は、カメラ１００に関する情報（撮影モード、シャッタースピード、絞り、ズーム位置等）をカメラ１００から受信する。フラッシュ制御部２３２は、発光量、発光タイミング等を制御するための指示をカメラ１００から受信する。フラッシュ制御部２３２は、カメラ１００に関する情報に基づいて、発光回路２３６と電源制御部２３３とを制御する。フラッシュ制御部２３２は、カメラ１００からの指示に従って、発光回路２３６と電源制御部２３３とを制御する。発光回路２３６は、フラッシュ制御部２３２からの指示に従って、発光部２３７の発光の開始及び停止を制御する。電源制御部２３３は、発光部２３７を発光させるためのコンデンサを有する。電源制御部２３３は、フラッシュ制御部２３２からの指示に従って、コンデンサの充電の開始及び停止を制御する。
【００３９】
電源制御部２３３は、電池２３８から供給された電源電圧を所定の電圧に変換するＤＣ−ＤＣコンバータを有する。フラッシュ装置２３０の電源は、電源制御部２３３が作り出している。コネクタ２３４は、電池２３８のコネクタ２３５と接続されるコネクタである。電池２３８が正規品の場合、電源制御部２３３は、電池２３８に関する情報を電池２３８から受信することができる。電池２３８に関する情報は、暗号化情報、暗号化された電池製品情報、電池残量、電池温度、劣化度等を含む。
【００４０】
電池２３８は、充電可能な電池であり、少なくとも一つの二次電池を含む。ＮｉＭＨ電池、Ｌｉ電池等は、電池２３８に含まれる二次電池の一例である。電池２３８が正規品である場合、電池２３８は、電池２３８に関する情報を電源制御部２３３を介してフラッシュ制御部２３２に送信することができる。
【００４１】
次に、図２〜図４のフローチャートを参照して、カメラ１００の実施形態１における動作について説明する。
【００４２】
図２は、実施形態１におけるカメラで行われる撮影動作を説明するためのフローチャートである。
【００４３】
Ｓ１において、システム制御部５０は、レジスタの初期化、データの初期化、周辺回路の初期化等の初期設定を行う。フラッシュ装置２３０に非正規電池が接続された場合に用いる連写回数カウンタｎの初期化もここで行われる。Ｓ２において、システム制御部５０は、フラッシュ装置２３０に関する情報をフラッシュ装置２３０から受信する。フラッシュ装置２３０に関する情報は、フラッシュ装置２３０に接続された電池２３８が正規電池であるか、非正規電池であるかを示す情報を含む。また、Ｓ２において、システム制御部５０は、カメラ１００に関する情報をフラッシュ装置２３０に送信する。また、Ｓ２において、システム制御部５０は、発光部２３７を発光させるための充電の開始をフラッシュ制御部２３２に指示する。
【００４４】
ここで、図３のフローチャートを参照して、フラッシュ装置２３０で行われる電池判定処理を説明する。
【００４５】
Ｓ３１において、フラッシュ制御部２３２は、電池２３８に関する情報を電池２３８から取得する。電池２３８に関する情報は、暗号化情報、暗号化された電池製品情報、電池残量、電池温度、劣化度等を含む。
【００４６】
Ｓ３２において、Ｓ３１で電池２３８に関する情報が取得できなければ、フラッシュ制御部２３２は、電池２３８を非正規品であると判定する。また、Ｓ３１で電池２３８に関する情報が取得できた場合、フラッシュ制御部２３２は、電池２３８に関する情報に基づいて、電池２３８が正規品か否かを判定する。
【００４７】
Ｓ３３において、フラッシュ制御部２３２は、電池判定の結果を不図示の内部メモリに記憶する。カメラ１００とフラッシュ装置２３０とが接続された場合、フラッシュ制御部２３２は、電池判定の結果をシステム制御部５０に送信する。
【００４８】
図２のＳ３において、設定ボタン、モードダイヤルスイッチ６０、操作部７０等の状態を検出する。Ｓ４において、設定ボタンがオンならば、Ｓ５の各種設定処理（ＩＳＯ感度（ゲイン）設定、ホワイトバランス設定、測距点設定、画質設定など）へ移行する。設定ボタンがオフならば、Ｓ６へ移行する。Ｓ６において、シャッタースイッチ６２のＳＷ１がオフならば、Ｓ１６へ移行し、オンならばＳ７へ移行する。
【００４９】
Ｓ７において、システム制御部５０によりレンズユニット２２０と通信を行い、レンズユニット２２０の各種レンズ情報を取得する。レンズ情報には、レンズ固有情報、焦点距離、絞り値、フォーカスレンズ位置等の情報が含まれている。
【００５０】
Ｓ８において、被写体に焦点を合わせるために、周知の位相差検出方式によるデフォーカス量の演算を行い、Ｓ９において、得られたデフォーカス量を基にレンズ駆動量を算出してフォーカスレンズを駆動する。Ｓ１０において、撮影に用いるＩＳＯ感度に応じたゲイン設定を行う。
【００５１】
ここで、図４のフローチャートを参照して、実施形態１におけるゲイン設定処理を説明する。図４のＳ１０１において、フラッシュ装置２３０の不図示のコンデンサが充電完了して発光できる状態であるかどうかを判定する。完了していない場合には、Ｓ１０４へ移行し、撮影に用いるゲインとしてＩＳＯ感度設定スイッチ６９によりユーザが設定したゲイン（ＩＳＯ感度）を決定し、図２の処理に戻る。
【００５２】
一方、Ｓ１０１で充電が完了していると判定された場合、Ｓ１０２に移行してフラッシュ装置２３０の電池２３８が正規電池かどうかを判定する。正規電池ならば（Ｓ１０２でＹＥＳ）、Ｓ１０３へ移行して上述した処理を行い、非正規電池ならば（Ｓ１０２でＮＯ）、Ｓ１０４へ移行し、撮影に用いるゲインとして最大ゲインを決定し、図２の処理に戻る。
【００５３】
図２のＳ１１において、不図示の測光センサにより得られた測光値、Ｓ１０で設定されたゲイン、撮影モード等のカメラ設定から、シャッター秒時（電荷蓄積時間）、絞り値、フラッシュ発光量等を決定する測光演算処理を行う。Ｓ１２において、測光演算処理により求められたシャッター秒時、絞り値、フラッシュ発光量等の撮影情報を情報出力部５６または画像表示部２８に表示する。
【００５４】
Ｓ１３において、シャッタースイッチ６２のＳＷ２がオンかどうかを判定し、オフならばＳ１６へ移行する。Ｓ１６では、フラッシュ装置２３０に非正規電池が接続された場合の連写回数カウンタｎを０にクリアして、Ｓ２０に移行する。一方、シャッタースイッチ６２のＳＷ２がオンならば、Ｓ１４へ移行する。
【００５５】
Ｓ１４において、フラッシュ装置２３０の充電が完了して発光可能であって、且つ、フラッシュ装置２３０の電池２３８が非正規電池かどうかを判定する。ＹＥＳの場合にはＳ１７へ移行し、ＮＯの場合、即ち、発光可能でない場合、及び、電池２３８が正規電池の場合の少なくともいずれか一方である場合にはＳ１５へ移行する。Ｓ１７では非正規電池が接続された場合の連写回数カウンタｎを０にクリアしてＳ１９へ移行する。
【００５６】
一方、Ｓ１５において、連写回数カウンタｎが予め設定された所定回数（図２に示す例では１０回）より多いかどうか判定し、多ければ、撮影を行わずにそのままＳ２へ戻り、所定回数以下（図２に示す例では１０回以下）であれば、Ｓ１８へ移行する。Ｓ１８では、連写回数カウンタｎの値を１つ増やして、Ｓ１９に進む。
【００５７】
Ｓ１９では、公知の撮像素子５のゲイン設定、フラッシュ発光が可能であればフラッシュ発光、蓄積動作、読み出し動作を行い、画像処理、画像書き込み等、静止画の撮影動作を行い、Ｓ２へ戻る。
【００５８】
Ｓ２０では、カメラの電源がオンかどうかを判定し、オンならば、Ｓ２へ戻って上記処理を繰り返し、オフならばＳ２１へ移行する。Ｓ２１では、カメラ１００の動作を終了させるために、周辺回路への電源オフの指示やデータの退避等の終了設定を行い、動作を終了する。
【００５９】
上記の通り実施形態１によれば、図４で説明したように、カメラ１００に接続されたフラッシュ装置２３０の電池２３８が非正規電池と判定された場合は、ゲイン（ＩＳＯ感度）として、ユーザ設定値ではなく、最大ゲインを設定する。このように最大ゲインにすることにより、フラッシュ発光量を通常の発光量に比べて抑えることができるため、非正規電池に与える影響を減らすことができる。
【００６０】
また、図２のＳ１４からＳ１９で説明したように、フラッシュ装置２３０の電池２３８が非正規電池の場合の連続撮影時は、連写回数を所定回数（上述した実施形態１では、１０回）に限定する。これにより、非正規電池が接続された場合に、長い間継続して重い負荷を与えないようにしている。なお、実施形態１は、連写回数により限られるものではなく、非正規電池に過度な負担を掛けないと予測される範囲で適宜変更することができる。
【００６１】
＜実施形態２＞
次に、本発明の実施形態２におけるカメラ１００の動作を説明する。上述した実施形態１では、フラッシュ装置２３０の電池２３８が非正規電池である場合に、ゲインを最大ゲインに設定し、フラッシュ発光量を抑えるように制御した。これに対し、実施形態２では、電池２３８が非正規電池である場合に、フラッシュ発光量が予め決められた発光量よりも小さくなるように、ゲインを設定する。
【００６２】
実施形態２における図５の処理は、実施形態１で上述した図２と比較して、Ｓ１０でのゲイン設定処理が無く、また、Ｓ２１０の測光演算と、Ｓ２１１の撮影動作が図２のＳ１１及びＳ１９で行われる処理と異なる。それ以外の処理は、図２で説明したものと同様であるので、同じ参照番号を付して、適宜説明を省略する。
【００６３】
実施形態２において、Ｓ２１０では、不図示の測光センサにより得られた測光値、Ｓ５で設定されたＩＳＯ感度（ゲイン）、撮影モード等のカメラ設定から、シャッター秒時（電荷蓄積時間）、絞り値等を決定する測光演算処理を行う。実施形態２では、ここではフラッシュ発光量は決定しない。Ｓ１２では、測光演算により求められたシャッター秒時、絞り値等の撮影情報を情報出力部５６または画像表示部２８に表示する。
【００６４】
次に、Ｓ２１１で行われる実施形態２における撮影動作を図６のフローチャートを参照して説明する。
【００６５】
図６のＳ３０１では、上述したＳ２１０で得られた測光値に基づいて、フラッシュ発光するかどうかを判定し、フラッシュ発光するならばＳ３０３へ移行し、そうでなければＳ３０５へ移行する。Ｓ３０３において、フラッシュのプレ発光を行い、そのときの測光値と、Ｓ２１０で取得したプレ発光しないときの測光値とを記憶する。Ｓ３０４において、フラッシュの発光量演算を行う。
【００６６】
ここで、発光量演算処理を図７のフローチャートにより説明する。
【００６７】
図７のＳ４０１において、現時点で設定されているゲイン（ＩＳＯ感度）で、Ｓ３０３にて記憶したプレ発光時の測光値とプレ発光しないときの測光値とから、フラッシュ発光量を算出する。Ｓ４０２において、フラッシュ装置２３０の電池２３８が、正規電池かどうかを判定し、正規電池ならば発光量演算処理を終了する。一方、非正規電池ならば、Ｓ４０３へ移行する。
【００６８】
Ｓ４０３において、算出したフラッシュ発光量が最大発光量（ＦＵＬＬ）の、例えば、４分の３よりも小さいかどうか判定し、小さければ発光量演算処理を終了し、小さくなければＳ４０４へ移行する。なお、実施形態２は、最大発光量の４分の３に限るものではなく、非正規電池に過度な負担を掛けないと予測される範囲で適宜変更することができる。Ｓ４０４ではゲインが最大かどうかを判定し、最大でなければ、Ｓ４０５へ移行し、最大であれば発光量演算を終了する。
【００６９】
Ｓ４０５において、ゲインを所定量上げてフラッシュ発光量の再演算を行い、Ｓ４０３へ戻り、上記処理を繰り返す。この処理は、算出したフラッシュ発光量が最大発光量（ＦＵＬＬ）の４分の３よりも小さくなるか（Ｓ４０３でＹＥＳ）、ゲインが最大になるまで、繰り返し実行される。
【００７０】
上述した図７の処理により、ゲインとフラッシュ発光量とが決定される。
【００７１】
図６に戻り、Ｓ３０５において、撮像素子５の蓄積を開始する。Ｓ３０６において、シャッター４の先幕を走行させて、露光を開始し、シャッター秒時後にシャッター４の後幕を走行させるようにタイマー設定する。
【００７２】
Ｓ３０７において、フラッシュ発光するならばＳ３０８へ移行して、Ｓ３０４で演算されたフラッシュ発光量でフラッシュ発光を行ってＳ３０９へ進み、発光しない場合にはそのままＳ３０９へ移行する。なお、Ｓ３０８では、フラッシュ装置２３０にフラッシュ発光量や発光開始指示の通信を行う。
【００７３】
Ｓ３０９において、シャッター秒時後にシャッター４の後幕を走行させ、Ｓ３１０において、撮像素子５の蓄積を終了し、Ｓ３１４において、撮像素子５から画像信号の読み出し処理を行う。Ｓ３１５において、読み出した画像信号に対して所定の画像処理を行い、Ｓ３１９において処理した画像信号を記録し、撮影動作フローを終了する。
【００７４】
上記の通り実施形態２によれば、図７で説明したように、カメラ１００に接続されたフラッシュ装置２３０の電池２３８が非正規電池と判定された場合は、発光量が所定値以下（図７の例では、最大発光量の４分の３未満）となるように制御する。また、発光量が所定値以下とならなくとも、ゲインを最大値まで上げるように制御する。このように制御することにより、フラッシュ発光量を通常の発光量に比べて抑えることができるため、非正規電池に与える影響を減らすことができる。
【００７５】
また、図６のＳ１４からＳ１９で説明したように、フラッシュ装置２３０の電池２３８が非正規電池の場合の連続撮影時は、連写回数を所定回数（上述した実施形態１では、１０回）に限定する。これにより、非正規電池が接続された場合に、長い間継続して重い負荷を与えないようにしている。なお、実施形態２は、連写回数により限られるものではなく、非正規電池に過度な負担を掛けないと予測される範囲で適宜変更することができる。
【００７６】
なお、実施形態１及び２では、電池２３８が正規電池であるか、非正規電池であるかを判定するものとして説明した。しかしながら、実施形態１及び２はこれに限るものではなく、電池２３８が所定の仕様に準拠した電池であるかどうかに応じて、上述したように制御を変えればよい。即ち、電池２３８が所定の仕様に準拠した電池である場合には、正規電池の場合と同様の制御を行い、所定の仕様に準拠した電池ではない場合は、非正規電池の場合と同様の制御を行うようにすればよい。
【図１】
2013015777.tif 000003
【図２】
2013015777.tif 000004
【図３】
2013015777.tif 000005
【図４】
2013015777.tif 000006
【図５】
2013015777.tif 000007
【図６】
2013015777.tif 000008
【図７】
2013015777.tif 000009